【手続補正書】
【提出日】平成15年10月22日(2003.10.22)
【手続補正１】
【補正対象書類名】明細書
【補正対象項目名】全文
【補正方法】変更
【補正の内容】
【発明の名称】楽音発生装置
【特許請求の範囲】
【請求項１】利用者によるリクエスト情報を複数記憶可能なリクエスト記憶手段と、
前記リクエスト記憶手段に記憶されたリクエスト情報に対応した楽音情報を再生する演奏手段とを有する楽音発生装置において、
前記演奏手段による前記楽音情報の再生間隔を調整可能な演奏開始制御手段と、前記演奏開始制御手段による楽音情報の再生の開始を指示する指示入力手段を備え、前記指示入力手段は歌い手の音声を入力する音声入力手段に取り付けられたことを特徴とする楽音発生装置。
【請求項２】請求項１に記載の楽音発生装置において、
前記演奏開始制御手段による前記楽音情報の再生間隔を１曲毎に設定していることを特徴とする楽音発生装置。
【請求項３】請求項１に記載の楽音発生装置において、
前記演奏開始制御手段による前記楽音情報の再生間隔を複数曲毎に設定していることを特徴とする楽音発生装置。
【発明の詳細な説明】
【０００１】
【発明の属する技術分野】
本発明は、カラオケ曲をはじめとする楽音情報を読み出して再生を行う、例えばカラオケ装置のような楽音発生装置に関する。
【０００２】
【従来の技術】
従来、利用者がカラオケ装置を利用する場合、リモコン等のリクエスト入力機器を用いて歌いたい曲の選曲番号を入力し、カラオケ装置がこれを受け付けて該選曲番号に対応するリクエスト曲を順次演奏する仕組みとなっている。すなわち、利用者によってリクエストが連続して複数なされた場合、カラオケ装置は該複数のリクエスト情報を所定の記憶領域に記憶させておき、該記憶に基づいて、該リクエスト情報に対応したカラオケ曲の演奏を自動的に連続させて演奏させる。自動的に連続して演奏させるとは、１曲のカラオケ曲の演奏が終了した後、次のカラオケ曲の演奏が開始するまでの間隔が、ほんの２、３秒程度に過ぎないことを意味する。
【０００３】
例えば、あるリクエスト曲が演奏されている途中に別の利用者等によって別の曲がリクエストされた場合には、前述した所定の記憶領域にその利用者によってリクエストされた該リクエスト情報が記憶され、演奏中のカラオケ曲の演奏終了後に、引き続いて、すなわち２、３秒後に、その記憶されていたリクエスト情報を読み出して、該リクエスト情報に対応したカラオケ曲の演奏を自動的に実行するようになっている。
【０００４】
【発明が解決しようとする課題】
しかしながら、上記のようなカラオケ装置では１曲分の演奏が終了すると、前述したように、２、３秒という多少のインターバルはあるとはいえ、カラオケ曲の演奏終了後にあらかじめ記憶されていた次のリクエスト情報に対応したカラオケ曲の演奏開始に、ほとんど連続的といってもいいほど自動的に移行していくので、時間を待たずに次の番の歌い手がリクエストしたカラオケ曲に沿って歌い出すことができるという点では利便性が高いと見ることができるが、例えばリクエストした歌い手がマイクロホンを持って歌うことのできる場所へ移動するのに時間がかかるような室内に、上述したカラオケ装置が設置されている場合や、あるいは上述のカラオケ装置がバスの車内に設置されておりマイクロホンの受け渡しに時間がかかるような場合においては、リクエストされているカラオケ曲が連続して演奏されがゆえに、あらかじめリクエストしていた次の番となる歌い手が前の番の歌い手の歌唱が終了した後に歌おうとして、いざ歌う準備を整えようとしても、その前にそのリクエストしたカラオケ曲の演奏が始まってしまい、歌いそびれて、興ざめしてしまう恐れがあった。
【０００５】
本発明は、上述した問題点を解決するためになされたものであり、次の順番となる利用者が歌う準備を整えるのに時間がかかるような場合でも、そのリクエストした曲を歌いそべらせることなく、確実に曲の最初から歌うことのできる楽音発生装置を提供することを目的とする。
【０００６】
【課題を解決するための手段】
この目的を達成するために、請求項１に記載の楽音発生装置は、利用者によるリクエスト情報を複数記憶可能なリクエスト記憶手段と、前記リクエスト記憶手段に記憶されたリクエスト情報に対応した楽音情報を再生する演奏手段とを有する楽音発生装置であって、前記演奏手段による楽音情報の再生間隔を調整可能な演奏開始制御手段を備えている。
【０００７】
従来の楽音発生装置では、演奏手段がリクエスト記憶手段に記憶されたリクエスト情報に対応した楽音情報を再生する際に、該複数の楽音情報を連続して再生していた。すなわち、１曲の楽音情報の再生が終わるとほんのわずかな間隔、前述したように、２、３秒程度の間隔を置いて、次の楽音情報の再生を自動的に開始していた。従って、カラオケボックス等において、歌い手の歌唱の終了後、次の歌い手にすばやくマイクロホンを渡すことができればよいが、あるいは、あらかじめ、次の歌い手が別のマイクロホンを持って歌う準備をしていればよいが、１つの楽音情報の再生が終了した後、次の楽音情報の再生が連続して自動的に開始される際に、その楽音情報の歌い手が歌う準備を整えていない場合には、歌いそびれてしまうことがあった。
【０００８】
そこで、本発明の楽音発生装置は、演奏開始制御手段が、リクエスト記憶手段に記憶されたリクエスト情報に対応した複数の楽音情報の再生間隔を、利用者の操作により調整可能にさせる。
【０００９】
つまり、演奏手段は、上述したような、連続して楽音情報の再生を実行させるのではなく、演奏開始制御手段の制御により、楽音情報の再生間隔を所定数曲毎に区分された上で再生されるのである。即ち、ここで所定数曲毎というのは、１又は２曲毎とか、あるいは３曲毎等とかいったような、あらかじめ数曲毎に区分した上で、その区分単位の範囲内では連続的に楽音の再生を行うという意味である。この場合、数曲毎に区分するパターンについても数種類のパターンとしてあらかじめ設定可能とさせておいてもよい。例えば、区分する曲単位としては３曲単位と設定した場合において、区分単位である３曲分の楽音情報は連続して再生されるが、その終了後、次の３曲の楽音情報の再生に移行する場合は、とても連続的とは言えない程度のある期間の長いインターバルを設定させたり、あるいは入力手段による入力操作等によらなければ次の３曲に移行することができない等としてもよい。あるいは、最初は１曲毎、次には２曲毎、その次には３曲毎等といったようにランダムに区分するようなパターンを設定してもよい。
【００１０】
従って、例えば１曲毎に演奏開始制御手段が演奏手段による楽音の発生を開始させるように設定すると、１曲の楽音情報に基づいて歌い手の歌唱が終了した後、自動的に連続して次の楽音情報が再生されることはなく、連続的とはいえない程度の長さの一定期間のインターバルを持たせたり、あるいは入力手段による何らかの手入力操作によらなければ、次の楽音情報の再生に移行することができないので、該次の楽音情報に基づいて歌う予定の歌い手が歌いそびれることを防ぐことができる。
【００１１】
また、本発明の楽音発生装置は、前記演奏開始制御手段による楽音情報の再生の開始を指示する指示入力手段を備えている。
【００１２】
ゆえに、指示入力手段が演奏開始制御手段による楽音情報の再生の開始を指示するので、リクエスト記憶手段に記憶されたリクエスト情報に対応する楽音情報の再生は、指示入力手段による指示を基にして演奏開始制御手段による演奏の開始を実行する。逆に言えば、指示入力手段からの指示がなければ、次にリクエストされている楽音情報の再生がなされないことになる。
【００１３】
この時、指示入力手段からの指示を受信する受信手段を設けておくと、指示入力手段と受信手段が離れた位置にあっても、例えば赤外線センサ等による制御方法によって遠隔操作が可能となり、歌い手にとっては便利である。この場合、赤外線等の無線によってもよいし、指示入力手段と受信手段を有線で接続されているとする構成をとってもよい。
【００１４】
従って、例えば１曲毎に演奏制御するように設定されている場合に、ある楽音情報に基づいて歌い手の歌唱が終了した後、指示入力手段による指示があってはじめて、演奏開始制御手段による演奏を開始することになるので、次の歌い手は、指示入力手段による指示があるまで、歌う準備を整えることができたり、あるいは、歌う準備を整えてから、指示入力手段による指示をして、該楽音情報に基づいて歌うことができる。この場合に、指示入力手段は歌い手の近くにあると、なお、歌い手にとっては都合がよい。
【００１５】
更に、本発明の楽音発生装置は、歌い手の音声を入力する音声入力手段を備え、前記指示入力手段は前記音声入力手段に取り付けられたことを特徴とする。
【００１６】
ゆえに、歌い手が歌唱の際に必ず持ったりする音声入力手段に指示入力手段が取り付けられているので、歌い手がまさに歌う準備が整ったとき、即ち、まさに日頃鍛えた喉を披露しようとして音声入力手段から音声を入力する際において、その音声入力手段に取り付けられた指示入力手段によって指示を出すことによって、容易に次の楽音情報の開始タイミングに合わせて、次の歌い手は歌唱を楽しむことができる。そして、音声入力手段は複数あっても構わない。
【００１７】
【００１８】
更に、指示入力手段による指示の入力方法については、例えば、音声入力手段の稼働状態によって入力の有無を判断する構成としてもよい。即ち、音声入力手段が稼働しておれば、指示手段による入力があるようにし、逆に稼働していなければ、指示手段による入力がないようにしてもよい。
【００１９】
また、請求項２に記載の楽音発生装置は、請求項１に記載の楽音発生装置であって、前記演奏開始制御手段による前記楽音情報の再生間隔を１曲毎に設定していることを特徴とする。
【００２０】
ゆえに、１曲毎に楽音情報の再生が終了すれば、演奏開始制御手段の制御によって次の楽音情報の再生に移行することができる。
【００２１】
また、請求項３に記載の楽音発生装置によれば、請求項１に記載の楽音発生装置であって、前記演奏開始制御手段による前記楽音情報の再生間隔を複数曲毎に設定していることを特徴とする。
【００２２】
ゆえに、数曲毎に楽音情報の再生が終了すれば、演奏開始制御手段の制御によって次の楽音情報の再生に移行することができる。この場合、数曲毎というのは、２曲とか３曲とか、任意に設定可能であるのは前述したとおりである。
【００２３】
【発明の実施の形態】
以下、本発明の実施の形態について図面を参照して説明する。
【００２４】
図１は、本実施例のカラオケシステムの外観を示す概略図である。カラオケシステム１００は、本システムの中心の役割を果たすカラオケコマンダ１と、音量を増幅するアンプ１２と、背景画及び歌詞テロップを表示する表示手段としてのＣＲＴ表示装置等で構成されているディスプレイ１１と、カラオケ曲及び利用者の音声を出力するスピーカ１３と、歌い手の音声を入力する音声入力手段としてのマイクロホン１４とから構成されている。なお、背景画を出力するＣＤディスクチェンジャー等で構成される動画再生プレーヤについてはここでは図示を省略している（図４参照）。
【００２５】
次に、図２を参照してカラオケコマンダ１の外観の詳細について説明する。図２（ａ）は、カラオケコマンダ１を前面から見た斜視図である。カラオケコマンダ１の筐体１ａの前面パネルには、利用者がリクエストする曲の曲番号や演奏設定状況等の入力内容を表示するＬＥＤ表示装置３と、該ＬＥＤ表示装置の右方には、利用者等がリクエストや演奏条件等を入力する入力部３０や、利用者がリクエスト操作の際に使用するリモコン１５（図４参照）からの入力信号を受信するリモコン受光部６が形成されている。なお、後述するが、このリモコン受光部６は、マイクロホン１４がワイヤレスとなっている場合に、該マイクロホン１４からの入力信号を受信し、該入力の有無を検知する機能を兼ね備えてもよい。また、ＬＥＤ表示装置３の下方部に、マイクロホン１４からの音声を入力するために、マイクロホン１４からの音声を入力するための音声入力端子２９が設けられている。
【００２６】
図２（ｂ）は、カラオケコマンダ１を背面から見た斜視図である。カラオケコマンダ１の筐体１ａの背面には、利用者によってリクエストされたカラオケ曲を演奏する際に、その演奏音及びマイクロホン１４からの音声を増幅させるために、アンプ１２と接続させるための端子として、音声出力端子２８が設けられている。更に、演奏中の曲に対応した歌詞や背景画を表示させるディスプレイ１１と接続するための端子として、映像出力端子２７が設けられている。
【００２７】
続いて、図３を参照して、マイクロホン１４の構成について説明する。マイクロホン１４には、切換スイッチ１４ａが取り付けられており、該スイッチ１４ａが「ＯＮ」の位置にあれば、通電状態となり、歌い手の音声が拡声され、マイクロホン１４に接続されている、後述する本発明における指示入力手段としての入力レベル検出装置９（図４参照）において、通電している旨の検出信号がＣＰＵ５に送られるトリガーとなり、カラオケ演奏を開始させることになるが、逆に、「ＯＦＦ」の位置にあれば、非通電状態となり、歌い手の音声は拡声されず、入力レベル検出装置９においては何もＣＰＵ５に信号は送られない。なお、これは、本実施例において、ＣＰＵ５における制御が、入力レベル検出装置９から信号がなければカラオケ曲の演奏が所定数曲毎に区切られることになっていることを前提としている。
【００２８】
しかし、逆に、入力レベル検出装置９からの信号を受信しなければ、ＣＰＵ５は、連続してカラオケ曲を演奏させるようにしてもよい。なお、この場合は、入力レベル検出装置９は、マイクロホン１４が通電状態であれば、ＣＰＵ５に何も信号を送ることはせず、非通電状態であれば、ＣＰＵ５に信号を送るとする構成をとる。
【００２９】
このように、マイクロホン１４からの「ＯＮ」「ＯＦＦ」の切換によるインピーダンスの変化値を入力レベル検出装置９における信号の発生のトリガーとする構成をとるが、この場合、マイクロホン１４と入力レベル検出装置９とが有線によって接続されていることに限る必要はなく、マイクロホン１４のスイッチ１４ａが「ＯＮ」となった場合に、図示はしないがマイクロホン１４の筐体に赤外線発光ダイオードを取り付けておき、カラオケコマンダ１におけるリモコン受光部６がそのマイクロホン１４の発光ダイオードからの信号を受信することによって、ＣＰＵ５がカラオケ曲の演奏制御をする構成をとってもよい。
【００３０】
すなわち、この場合は、後述するリモコン受光部６と入力レベル検出装置９が一体として構成されることになる。
【００３１】
次に、図４を参照して、カラオケシステム１００の電気的構成について説明する。
【００３２】
カラオケコマンダ１内には、ＣＰＵ５が設置されており、このＣＰＵ５の指令によって、カラオケコマンダ１が動作する。そして、このＣＰＵ５は、本発明における演奏開始制御手段としても機能し、前述したＬＥＤ表示装置３、リモコン受光部６、入力部３０、マイクロホンの通電の有無を検知する入力レベル検出装置９及び、カラオケ演奏中の背景画となる動画を再生する動画再生プレーヤ１０が接続されている。
【００３３】
また、ＣＰＵ５には、後述するホストコンピュータ３１と通信回線２１を通してカラオケ曲データ等のデータの送受信を行うための通信手段としてのモデム２と、リクエスト情報及びホストコンピュータ３１から送られてきたカラオケ曲データを記憶する、本発明におけるリクエスト記憶手段としてのハードディスク４と、カラオケ曲データ中の演奏データを再生し、アンプ１２へ出力する再生装置８と、前述の動画再生プレーヤ１０からの動画データとカラオケ曲中の歌詞データを合成し、ディスプレイ１１に映像信号として出力する表示情報生成装置７と、ＣＰＵ５の制御プログラムを格納するＲＯＭ１６と、ワークエリアとしてのＲＡＭ１７とが接続されている。なお、利用者がリモコン１５によって入力したリクエスト情報は、ＲＡＭ１７に記憶させておいてもよい再生装置８は、再生装置８で再生された音声データの音量を増幅し、また、マイクロホン１４からの音声と合成するアンプ１２と接続されており、アンプ１２は該合成された音声データを外部に出力するスピーカ１３と接続されている。そして、この再生装置８、アンプ１２及びスピーカ１３とで、本発明における演奏手段に相当する。
【００３４】
なお、ホストコンピュータ３１には、カラオケ曲データを格納するデータベース３２を有しており、例えば、新曲データが作られる度に、該データベース３２から通信回線２１を介して、カラオケコマンダ１内のハードディスク４に記憶される。
【００３５】
続いて、図５を参照して本実施例におけるカラオケシステム１００におけるカラオケ装置１のカラオケ演奏に関する動作について説明する。
【００３６】
ＣＰＵ５は、リモコン１５からリクエスト入力されて、該リクエスト情報がハードディスク４に記憶されているかどうかを常時監視しており（ステップ２０１。以下、ステップを単にＳと記す。）、ハードディスク４内にリクエスト情報が記憶されているのを検知すると（Ｓ２０１：ＹＥＳ）、最も早く記憶されているリクエスト情報に対応するカラオケ曲データを読み出し（Ｓ２０３）、ＲＡＭ１７に記憶させておく。
【００３７】
続いて、入力レベル検出装置９から信号が発信されているか否かを検知し、マイクロホン１４のスイッチがＯＮとなっているかどうかを判断する（Ｓ２０５）。ここで、入力レベル検出装置９から何も信号が発信されていない旨を検知し、マイクロホン１４のスイッチがＯＦＦとなっていると判断すると（Ｓ２０５：ＮＯ）、ＣＰＵ５は、Ｓ２０３においてハードディスク４から読み出してＲＡＭ１７に記憶させておいたカラオケ曲データをそのまま保持しておき、引き続いて、入力レベル検出装置９から信号が発信されているか否かを判断する。
【００３８】
一方、入力レベル検出装置９から信号が発せられているのを検知し、マイクロホン１４のスイッチがＯＮとなっていると判断すると（Ｓ２０５：ＹＥＳ）、ＣＰＵ５は、ＲＡＭ１７に記憶させておいたカラオケ曲データを読み出し、該データ中の演奏データを演奏音を発生させるために再生装置に送り、歌詞データを歌詞テロップとしてディスプレイ１１に表示させるために表示情報生成装置７に送るとともに、動画再生プレーヤ１０から背景画データを表示情報生成装置７に送るよう制御することによって、カラオケ演奏を開始させる（Ｓ２０７）。そして、読み出した１曲分のカラオケ曲の演奏が最後までなされるのを待つ（Ｓ２０９）。
【００３９】
１曲分のカラオケ演奏が終了した後、ハードディスク４内に記憶されている該演奏したカラオケ曲に対応するリクエスト情報を消去し、予約曲登録から外す（Ｓ２１１）。
【００４０】
その後、再びＳ２０１に戻り、ハードディスク４内にリクエスト情報が記憶されていれば、前述した動作を繰り返す。
【００４１】
なお、上述した実施例のような、１曲毎にマイクロホン１４のスイッチがＯＮになっているか否かを判断するのではなく、例えば、２曲又は３曲、更には４曲等、数曲毎にカラオケ演奏を連続して実行させ、その後、演奏開始制御手段としてのＣＰＵ５はマイクロホン１４のスイッチがＯＮになっているか否かを判断してもよい。
【００４２】
以上説明したカラオケ装置１によれば、カラオケ演奏を開始するには、必ずマイクロホン１４のスイッチをＯＮとし、入力レベル検出装置９が信号を発してＣＰＵ５が該信号を検知した上でなければならないので、例えば、前の順番の歌い手の歌唱が終了した後、該歌い手がマイクロホン１４のスイッチをＯＦＦにしておけば、次にリクエストされていたカラオケ曲の演奏が開始されることはないので、該次のカラオケ曲の歌い手は、マイクロホン１４を手にして歌う準備を整える前にカラオケ曲の演奏が開始されて歌いそびれることを防ぐことができる。
【００４３】
また、マイクロホン１４のスイッチのＯＮ、ＯＦＦによってカラオケ曲の演奏開始の制御を行わせることで、歌い手が特に意識的に歌唱の終了を意識して制御させることなく、歌う際に、マイクロホン１４のスイッチをＯＮにし、歌い終わったら該スイッチをＯＦＦにするという慣例的な動作を利用してカラオケ曲の演奏開始制御を実現することができる。更に、マイクロホン１４のスイッチが入っているかどうか、すなわち、ＯＮ、ＯＦＦといった通電状態によってカラオケ曲の演奏開始を制御するので、従来のマイクロホン１４を流用することができる。更に、本実施例では、カラオケ曲の再生間隔は、利用者による指示入力によって決められる構成をとっていたが、あらかじめ１０秒、１５秒等といったように、所定時間の間隔を設定する構成をとってもよい。
【００４４】
また、本実施例では、ハードディスク４内に記憶されたカラオケ曲データを読み出し、ＲＡＭ１７に記憶させた上で、マイクロホン１４が通電していることによって入力レベル９から信号が発せられるか否かを判断する構成をとっていたが、先に、マイクロホン１４が通電していることによって入力レベル９から信号が発せられるか否かを判断し、それからリクエスト情報に対応したハードディスク４内のカラオケ曲データを読み出す制御としてもよい。
【００４５】
なお、カラオケ曲が演奏されている途中にマイクロホン１４のスイッチをＯＦＦにしても、演奏されているカラオケ曲が中断されないように構成してもよいし、逆にカラオケ曲の演奏を中断するように構成してもよい。
【００４６】
【発明の効果】
以上説明したことから明かなように、請求項１に記載の楽音発生装置によれば、演奏開始制御手段が、リクエスト記憶手段に記憶された複数のリクエスト情報に対応した楽音情報の再生間隔を調整して、演奏開始制御手段が演奏手段に対して楽音情報を再生をさせる。
【００４７】
つまり、演奏手段は、連続して楽音情報の再生を実行させるのではなく、演奏開始制御手段の制御により、所定数曲毎に再生間隔を調整し、楽音情報が再生されるので、例えば１曲毎に演奏開始制御手段が演奏手段による楽音の発生を開始させるように設定すると、１曲の楽音情報に基づいて歌い手の歌唱が終了した後、自動的に連続して次の楽音情報が再生されることはなく、連続的とはいえない程度の長さの一定期間のインターバルを持たせたり、あるいは入力手段による何らかの入力操作によらなければ、次の楽音情報に移行することができないので、例えばバスの車内といったような通常の室内に比べて、人の動きの自由度が低い場所において、該次の楽音情報に基づいて歌う予定の歌い手が歌いそびれることを防ぐことができる。
【００４８】
また、指示入力手段が演奏開始制御手段による楽音情報の再生の開始を指示するので、リクエスト記憶手段に記憶されたリクエスト情報に対応する楽音情報の再生は、指示入力手段による指示を基にして演奏開始制御手段による演奏の開始を実行する。逆に言えば、指示入力手段からの指示がなければ、次にリクエストされている楽音情報の再生がなされないことになる。
【００４９】
この時、指示入力手段からの指示を受信する受信手段を設けておくと、指示入力手段と受信手段が離れた位置にあっても、例えば赤外線センサ等による制御方法によって遠隔操作が可能となり、歌い手にとっては便利である。この場合、赤外線等の無線によってもよいし、指示入力手段と受信手段を有線で接続されているとする構成をとってもよい。
【００５０】
従って、例えば１曲毎に演奏制御するように設定されている場合に、ある楽音情報に基づいて歌い手の歌唱が終了した後、指示入力手段による指示があってはじめて、演奏開始制御手段による演奏を開始することになるので、次の歌い手は、指示入力手段による指示があるまで、歌う準備を整えることができたり、あるいは、歌う準備を整えてから、指示入力手段による指示をして、該楽音情報に基づいて歌うことができる。
【００５１】
更に、歌い手が歌唱の際に必ず持ったりする音声入力手段に指示入力手段が取り付けられているので、歌い手がまさに歌う準備が整ったとき、その音声入力手段に取り付けられた指示入力手段によって指示を出すことによって、容易に次の楽音情報の開始タイミングに合わせて、次の歌い手は歌唱を楽しむことができる。そして、音声入力手段は複数あっても構わない。この構成であれば、利用者は、音声入力手段とは別の指示入力手段を持つ必要がなく、歌う時に、音声入力手段を使用するときに、それに合わせて指示入力手段の制御をすればよいので、歌を歌う時の慣例的な動作を利用することにより、楽音情報の再生の制御をすることができる。
【００５２】
更にまた、指示入力手段による指示の入力方法については、例えば、音声入力手段の稼働状態によって入力の有無を判断する構成としてもよい。即ち、音声入力手段が稼働しておれば、指示手段による入力があるようにし、逆に稼働していなければ、指示手段による入力がないようにしてもよい。
【００５３】
このような構成にすれば、特に専用の音声入力手段を用意しなくても、従来の音声入力手段を流用することができる。
【００５４】
また、請求項２に記載の楽音発生装置によれば、１曲毎に楽音情報の再生が終了すれば、演奏開始制御手段の制御によって次の楽音情報の再生に移行することができる。
【００５５】
また、請求項３に記載の楽音発生装置によれば、数曲毎に楽音情報の再生が終了すれば、演奏開始制御手段の制御によって次の楽音情報の再生に移行することができる。
【図面の簡単な説明】
【図１】本実施例に係わるカラオケ装置の外観を示す概略図である。
【図２】本実施例に係わるカラオケ装置の外観を示す概略図である。
【図３】本実施例に係わるカラオケ装置におけるマイクロホンの外観を示す概略図
である。
【図４】本実施例に係るカラオケ装置の電気的構成を示すブロック図である。
【図５】本実施例に係るカラオケ装置のカラオケ曲の演奏開始に関する動作を示す
フローチャートである。
【符号の説明】
４  ハードディスク
５  ＣＰＵ
８  再生装置
９  入力レベル検出装置
１２  アンプ
１３  スピーカ
１４  マイクロホン